(57)【特許請求の範囲】
【請求項１】
車両シートであって、
ａ）シート部材（３）と、
ｂ）バックレスト（４）と、
ｃ）前記バックレスト（４）が枢動可能に前記シート部材（３）に嵌合するための少なくとも一つの継手（１０）であって、前記継手（１０）は、前記バックレスト（４）に接続される第１継手部材（１１）と、前記シート部材（３）に接続される第２継手部材（１２）とを有し、通常の状況下で前記継手（１０）は前記バックレスト（４）と前記シート部材（３）との間の、前記バックレスト（４）に適用される力が前記シート部材（３）に伝えられる力経路に配置される継手（１０）と、
ｄ）前記シート部材（３）に設けられた、衝突事象において変形する少なくとも一つの変形領域（Ｄ）と
を有し、
ｅ）前記バックレスト（４）は前記バックレスト（４）に固定された支持要素（８ａ）を有し、
前記シート部材（３）は前記シート部材（３）に固定された支持要素（７ａ）を有し、
前記シート部材（３）に固定された支持要素（７ａ）及び前記バックレスト（４）に固定された支持要素（８ａ）は通常は互いに離間し、衝突事象においては、前記変形領域（Ｄ）が変形する結果互いに当接するように動くことにより、前記バックレスト（４）に適用される力が、前記力経路のほかに、前記継手（１０）と並列される付加的な経路によっても前記シート部材（３）に伝えられる車両シート。
【請求項２】
前記バックレスト（４）はその支承構造物の一部として、少なくとも一つのバックレスト支柱（８）を有し、
前記バックレスト（４）に固定された支持要素（８ａ）は、前記バックレスト支柱（８）に設けられる、請求項１に記載の車両シート。
【請求項３】
前記バックレスト（４）に固定された支持要素（８ａ）は、前記バックレスト支柱（８）に形成される、請求項２に記載の車両シート。
【請求項４】
前記シート部材（３）はその支承構造物の一部として、少なくとも一つのシートフレーム側方部材（７）を有し、
前記シート部材（３）に固定された支持要素（７ａ）は、前記シートフレーム側方部材（７）に設けられる、請求項１から３のいずれか一項に記載の車両シート。
【請求項５】
前記シート部材（３）に固定された支持要素（７ａ）は、前記シートフレーム側方部材（７）に形成される、請求項４に記載の車両シート。
【請求項６】
前記変形領域（Ｄ）は、前記第２継手部材（１２）と、前記シート部材（３）に固定された支持要素（７ａ）との間に形成される、請求項１から５のいずれか一項に記載の車両シート。
【請求項７】
前記バックレスト（４）に固定された支持要素（８ａ）は環状に形成され、かつ、前記第１継手部材（１１）に固定される、請求項１から６のいずれか一項に記載の車両シート。
【請求項８】
前記第１継手部材（１１）及び前記第２継手部材（１２）は、互いに対して軸（Ａ）まわりに回転することができる、請求項１から７のいずれか一項に記載の車両シート。
【請求項９】
前記シート部材（３）に固定された支持要素（７ａ）及び前記バックレスト（４）に固定された支持要素（８ａ）の少なくとも一方は前記軸（Ａ）まわりに湾曲される、請求項８に記載の車両シート。
【請求項１０】
前記シート部材（３）に固定された支持要素（７ａ）及び前記バックレスト（４）に固定された支持要素（８ａ）の少なくとも一方は斜面として形成される、請求項１から９のいずれか一項に記載の車両シート。
【発明の詳細な説明】
【技術分野】
【０００１】
本発明は、請求項１のプリアンブルの特徴を有する車両シート特に自動車シートに関する。
【背景技術】
【０００２】
導入部で述べたタイプの車両シートは、特許文献１によって知られている。継手は、第１継手部材がバックレストに固定され、かつ、第２継手部材が二重に、すなわち一方では回転軸受により、他方では変形領域を画定する変形要素により、シート部材に接続される。変形要素は、バックレストとシート部材との間の力経路に対して回転軸受と並列されるが、継手と直列に配置される。衝突事象において、バックレストに適用されたトルクにより、エネルギー散逸を目的として変形要素が変形するのと同時に、第２継手部材が回転軸受まわりに回転する。
【先行技術文献】
【特許文献】
【０００３】
【特許文献１】独国特許出願公開第１９８０７５８１（Ａ１）号明細書
【発明の概要】
【０００４】
本発明の目的は、導入部で述べたタイプの車両シートの代替を与えることにある。本目的は、本発明によれば、請求項１の特徴を有する車両シートによって達成される。従属項は有利な実施例に関連する。
【０００５】
支持要素を使用することにより、衝突事象において、継手と並列される経路が、当該継手の負荷を取り除く力経路として設けられる。同じ継手が使用される場合、負荷のしきい値を増加させることができる。すなわち、支承構造物が高負荷を吸収することができる。同じ負荷しきい値すなわち同じレベルの安全性を有する異なる負荷クラスの継手が利用可能な場合、下の方の負荷クラスの継手を代替的に使用することができる。支持要素は、例えば有利にはベルト統合シートを備える車両シート側部に設けられ、又は、好ましくは鏡像対称構成にある両方の車両シートに設けられる。ベルトのロックを目的とした多くの周知の衝突時ロック部材とは対照的に、安全ベルトにおける力経路に対して並列する経路の形成が、衝突力によって開始されることはないが、その代わりに変形領域の変形によって開始される。
【０００６】
図面に例示される実施例を参照して、本発明が以下に詳細に説明される。
【図面の簡単な説明】
【０００７】
【図１】本実施例の一部を通る断面である。
【図２】図１に対応する斜視分解図である。
【図３】鏡像対称に構成された他の車両シート側部における、図２に対応する分解図である。
【図４】本実施例の概略図である。
【図５】図１に対応する分解図である。
【発明を実施するための形態】
【０００８】
自動車用車両シート１は、シート部材３及びバックレスト４を有する。自動車内の車両シート１配列及び自動車の通常の移動方向が以下の方向的指標を画定する。双方の車両シート側部において、車両シート１は、シート部材３の支承構造物の一部としてのシートフレーム側方部材７と、バックレスト４の支承構造物の一部としてのバックレスト支柱８とを有する。これらはそれぞれが、対向する車両シート側部における対応部材に、付加的な構造コンポーネントによって接続される。車両シート１はまた、両側部に継手１０を有する。継手１０によってバックレスト４はシート部材３に嵌合され、相対的に枢動することができる。本例では、各車両シート側部において継手１０は、一方で、関連付けられたシートフレーム部分７に、他方でバックレスト支柱８に固定される。
【０００９】
継手１０は、互いに対して回転可能な第１継手部材１１及び第２継手部材１２を有する。本例では、継手１０はラッチ継手として構成される。これは例えば、独国実用新案第２０２００９０１６９８９（Ｕ１）号明細書に記載されている。その開示は、この点についてここに参照として明示的に組み入れられる。かかる継手１０により、２つの継手部材１１及び１２を一緒にロックすることができる。しかしながら、継手１０として歯車継手を使用することもできる。これは例えば、独国実用新案第２０２００９０１７８１１（Ｕ１）号明細書に（自己制限偏心遊星歯車とともに）記載されている。その開示は、この点についてここに参照として明示的に組み入れられる。かかる継手１０は、継手部材１１及び１２を互いに対して回転させるべく駆動され、駆動されない場合はこれらの回転を阻止する。
【００１０】
第１継手部材１１は、バックレスト支柱８に固定的に接続される。すなわち、バックレストに固定される。バックレスト支柱８は、第１継手部材１１が固定されている領域に支持要素８ａを有する。支持要素８ａはバックレストに固定される。支持要素８ａは、本例では、バックレスト支柱８とは別個に構成され、かつ、バックレスト支柱８に固定される部材である。ただし、代替的に、バックレスト８に形成され得る。すなわち、バックレスト８と一体的に構成され得る。バックレストに固定される支持要素８ａは、本例では、第１継手部材１１の環状肩部１１ａに（好ましくは形状嵌めの態様で）載置されるリングとして構成される。当該リングは、その周縁の位置に、径方向に突出する第１支持輪郭８ｂを、カムの形態で有する。バックレストに固定される支持要素８ａは、本例では、第１継手部材１１とともにバックレスト支柱８に溶接される。しかしながら、他の固定方法及び／又は２つの部材８ａ、１１のバックレスト支柱８への別個の固定も可能である。支持要素８ａ上でバックレストに固定され、かつ、バックレスト支柱８にある対応する開口と形状嵌めの態様で協働する軸方向の突起により、溶接前の事前位置決めが可能となる。
【００１１】
第２継手部材１２は、シートフレーム側方部材７に固定的に接続される。すなわち、シート部材に固定される。本例では、第２継手部材１２はこの目的のために、星形肩部１２ａを有する。星形肩部１２ａは、対応するシートフレーム側方部材７の開口に形状嵌めの態様で係合してこれに溶接される。シートフレーム側方部材７は、第２継手部材１２が固定されている領域に支持要素７ａを有する。支持要素７ａはシート部材に固定される。支持要素７ａは、本例では、（シートフレーム側方部材７とは）別個に構成され、かつ、シートフレーム側方部材７に固定される部材である。ただし、代替的に、シートフレーム側方部材７に形成され得る。すなわち、シートフレーム側方部材７と一体的に構成され得る。シート部材に固定される支持要素７ａは、本例では、シートフレーム側方部材に溶接された傾斜側面として構成される。下方を向いた部材が水平方向に対して近似的に２３°の角度にあり、上方にある他方の部材は、斜面の形態の第２支持輪郭７ｂである。しかしながら、他の固定方法も可能である。シート部材に固定される支持要素７ａと星形肩部１２ａ（ひいては第２継手部材１２）のための開口との間に、シートフレーム側方部材７は変形領域Ｄを有する。変形領域Ｄは、衝突事象において変形可能であることが意図される。かかる変形は、変形領域Ｄにおける材料の抜き部又は材料の弱体化によって選択的に実行することができる。
【００１２】
通常の状況下では、継手１０がロックされているか（すなわち駆動されていないか）否か又は継手１０がアンロックされているか（すなわち駆動されているか）否かにかかわらず、２つの支持輪郭７ｂ及び８ｂは、バックレスト４の傾斜を調整するべく互いから離間されている。バックレスト４は、シート部材３に対して軸Ａまわりの枢動を実行する。継手１０が偏心遊星歯車を有する場合、軸Ａは間隙において揺れるが、それ以外は所定位置に固定される。したがって、２つの支持輪郭７ｂ及び８ｂを、その間隙がバックレスト４の傾斜から独立するように、固定された軸Ａまわりに湾曲させることが有利である。ロック（すなわち非駆動）状態では、継手１０は、バックレスト４とシート部材３との間の力経路に独占的に配置される。すなわち、バックレスト４に適用されるすべての力（例えば重力）が、継手１０によって独占的にシート部材３に向けられる。
【００１３】
衝突事象においてバックレスト４は、前端衝突事象では前方向の及び後端衝突事象では後方向の負荷、特にシート部材３に対するトルクを受ける。継手１０の負荷を低減するべく、本発明によれば、当該力経路に対して橋をかける継手１０によって当該力経路の分割が得られる。これを目的として、シートフレーム側方部材７（及び／又はバックレスト支柱８）の所望の変形、特に継手１０の近傍に配置された変形領域Ｄが使用される。変形領域Ｄの変形によりエネルギーの散逸がもたらされる。変形領域Ｄの変形に起因して、２つの支持要素７ａ及び８ａも互いに、その支持輪郭７ｂ及び８ｂとともに当接するように動くので、当該力経路に対し、継手１０と並列（技術的接続性の意味において）配置され、ひいては継手１０に橋をかけるもう一つの経路が設けられる。したがって、継手１０に対する３つの空間方向すべてのまわりのトルクを低減することができる。本例では、近似的に１０から２０％の継手１０の負荷低減が達成される。変形領域Ｄと支持輪郭７ｂ及び８ｂを備える２つの支持要素７ａ及び８ａとの配列は、変形領域Ｄの最も蓋然性が高い変形に適合される。前端衝突及び後端衝突をカバーすることが意図される場合、２つの第１支持輪郭８ｂ及び２つの第２支持輪郭７ｂが、共通の支持要素８ａ若しくは７ａそれぞれに、又はこれら自身の支持要素８ａ若しくは７ａそれぞれに設けられる。シートフレーム側方部材７及び／又はバックレスト支柱８の領域に複数の変形領域Ｄを設けることもできる。
【符号の説明】
【００１４】
１      車両シート
３      シート部材
４      バックレスト
７      シートフレーム側方部材
７ａ    シート部材に固定される支持要素
７ｂ    第２支持輪郭
８      バックレスト支柱
８ａ    バックレストに固定される支持要素
８ｂ    第１支持輪郭
１０    継手
１１    第１継手部材
１１ａ  環状肩部
１２    第２継手部材
１２ａ  星形肩部
Ａ      軸
Ｄ      変形領域
【図１】
0005663698.tif 000002
【図２】
0005663698.tif 000003
【図３】
0005663698.tif 000004
【図４】
0005663698.tif 000005
【図５】
0005663698.tif 000006